(57)【特許請求の範囲】
【請求項１】
戸ガラスや窓ガラス等へとくに防犯用に取り付ける保護シートであって、プラスチック製の基材シート部と、この基材シート部の一側面に設けた粘着層と、この粘着層に貼着した剥離フィルムとでそれぞれ構成したところの、窓ガラス等の中央部のメインの錠の回りのガラスに貼着させる中部シートと、前記窓ガラス等の角部のサブの錠の回りに貼着させる角部シートとから成り、前記中部シートと前記角部シートの各剥離フィルムは、少なくとも２分割されると共に、それぞれサッシ側に位置する側を面積の小さな幅を狭いものとしたことを特徴とする、窓ガラス等の保護シート。
【請求項２】
前記中部シートと角部シートのいずれか一方或は双方には、絵、図形、文字、記号等の全部或は一部から成る印刷部が設けられていることを特徴とする、請求項１に記載の窓ガラス等の保護シート。
【発明の詳細な説明】
【０００１】
【発明の属する技術分野】
この発明は、戸ガラスや窓ガラス等に取り付けて用いる保護シートに関する。
【０００２】
【従来の技術】
従来、建物の錠付きのガラス戸やガラス窓等においては、戸ガラスや窓ガラス等（この明細書において単に窓ガラス等という）の錠の回りの部分に外側から粘着テープを貼り、この粘着テープの部分のガラスを割ることによって錠の回りに孔を作り、ここより手を入れて錠を外すことによって、容易に外部より泥棒等の侵入を許してしまうことを防止するために、窓ガラス等の錠の回りに、内側より貼着させる合成樹脂製の防犯シートが公知である。
【０００３】
他方において、地震の際には、窓ガラス等が割れて飛散し、ガラス窓等の近くに居た人の上に落下したり、顔面を直撃したりして怪我をさせたり、或は避難する人の足に怪我をさせる等の事故が数多く報告されている。そのため、窓ガラス等のガラス面全面に貼着させる防災シートが公知である。
【０００４】
【発明が解決しようとする課題】
上述した防犯シートは、専ら錠の回りに粘着するものであるが、窓ガラス等の四角に補助錠を取り付けてある場合も多く、この角部分に対する対策は講じられていない。
【０００５】
さらに、防犯シートの一側面に設けた粘着層の前面に一枚の剥離フィルムを粘着して成ることから、防犯シートを窓ガラス等の錠の回りへ貼り付ける際に、剥離フィルムを全部剥がしてしまうと、往々にして先に貼り付けようとする部分以外の部分が窓ガラス等に貼り付いてしまい、作業がしにくいという問題があった。この問題は剥離フィルムの一部を剥がすことによってある程度は防止できるが、この一部剥がした剥離フィルムが折り曲がって残り、貼り付け作業をやりにくくさせるという問題は依然として解消できない。とくに、窓ガラス等の錠として一番多く用いられているクレセント錠のように、係止具がガラスの部分に重なるものは、貼り付け作業がしにくかった。
【０００６】
また、窓ガラス等のガラス面全面に貼着させる防災シートは、コストが高くつく上に、古くなった際の張り替え時に剥がすことが困難であるという問題があった。
【０００７】
しかも従来は、防犯シートや防災シートは、それぞれ単独で別々に販売されていることから、施工費が高くつく上に、デザインに統一性がないことから、装飾性に劣るという問題もあった。
【０００８】
この発明の目的は、防犯と防災効果を同時に満足させることができる上に、施工費用が安価に済み、デザイン効果の高い保護シートを提供せんとするにある。
【０００９】
【課題を解決するための手段】
上述した目的を達成するためにこの発明は、戸ガラスや窓ガラス等へとくに防犯用に取り付ける保護シートであって、プラスチック製の基材シート部と、この基材シート部の一側面に設けた粘着層と、この粘着層に貼着した剥離フィルムとでそれぞれ構成したところの、窓ガラス等の中央部のメインの錠の回りのガラスに貼着させる中部シートと、前記窓ガラス等の角部のサブの錠の回りに貼着させる角部シートとから成り、前記中部シートと前記角部シートの各剥離フィルムは、少なくとも２分割されると共に、それぞれサッシ側に位置する側を面積の小さな幅を狭いものとしたことを特徴とする。
【００１０】
その際に本発明は、前記中部シートと角部シートのいずれか一方或は双方に、絵、図形、文字、記号等の全部或は一部から成る印刷部を設けることが好ましい。
【００１１】
【発明の実施の形態】
図面はこの発明の一実施の形態を示し、図１乃至図３において、指示記号１は、この発明に係る保護シートの一方を構成する中部シートであり、後述するようにガラス窓等のクレセント錠の周りに貼着されるものである。この中部シート１は、例えばポリプロピレン製のプラスチックシートから成る略半円形状の基材シート部２と、この基材シート部２の一側面に設けられた粘着層３と、この粘着層３の上面に貼着した、例えばプラスチック製の剥離フィルム４とで構成されている。剥離フィルム４は、少なくとも窓ガラス等の枠部材であるアルミサッシ側に接する面積の小さな第１剥離フィルム４ａと、それ以外の面積の大きな第２剥離フィルム４ｂとに分割されている。尚、この分割方法は、実施の形態のものは大小２分割であるが、３分割或はそれ以上としても良い。
【００１２】
そして、基材シート部２には、犬の図柄から成る印刷部５が印刷されている。尚、この印刷部５は図面のものに限定されるものではなく、さまざまなものの絵や図形、記号、文字等の１つ或は２つ以上であっても良い。この印刷部５はこれがあると装飾性に優れたものになるが、必ずしもなくとも良い。基材シート部２の材質に限定はないが、引張り強度のあるプラスチックシートが望ましく、透明、不透明、或は着色、未着色を問わない。
【００１３】
図４乃至図６において、指示記号６は、この発明に係る保護シートの一方を構成する角部シートであり、後述するようにガラス窓等の角部に貼着されるものである。この角部シート６は、例えばポリプロピレン製のプラスチックシートから成る４分の１円形状の基材シート部７と、この基材シート部７の一側面に設けられた粘着層８と、この粘着層８の上面に貼着した、例えばプラスチック製の剥離フィルム９とで構成されている。剥離フィルム９は、少なくとも窓ガラス等の枠部材であるアルミサッシ側に接する面積の小さな第１剥離フィルム９ａと、それ以外の面積の大きな第２剥離フィルム９ｂとに分割されている。尚、この分割方法は、実施の形態のものは大小２分割であるが、３分割或はそれ以上としても良い。
【００１４】
そして、基材シート部７には、犬の図柄から成る印刷部１０が印刷されている。尚、この印刷部１０は図面のものに限定されるものではなく、さまざまなものの絵や図形、記号、文字等の１つ或は２つ以上であっても良い。この印刷部１０はこれがあると装飾性に優れたものになるが、必ずしもなくとも良い。基材シート部７の材質に限定はないが、引張り強度のあるプラスチックシートが望ましく、透明、不透明、或は着色、未着色を問わない。さらに、中部シート１と角部シート６の形状については、実施の形態のものに限定されない。それはさまざまな形態のものが考えられる。
【００１５】
図７は、上述した中部シート１をガラス窓１１の窓ガラス１２，１３へ貼着させる場合を示し、中部シート１は、まず剥離フィルム４の第１剥離フィルム４ａを剥がして、粘着層３を露出させた部分の基材シート部２をクレセント錠１４の係止具（図示せず）と窓ガラス１２との間に挿入しつつ、その縁部を一方の窓ガラス１２の枠部材１２ａに接して貼り付け、次いで第２剥離フィルム４ｂを剥がして残った基材シート部を窓ガラス１２へ貼り付けるものである。
【００１６】
同様にして、もう一方の窓ガラス１３のクレセント錠１４の回りに、中部シート１の基材シート部２を貼り付ける。
【００１７】
角部シート６は、図８に示したように、まず一方の窓ガラス１２へ中部シート１の場合と同じように、第１剥離フィルム９ａを剥がして基材シート部７の一部を枠部材１２ａに接して貼り付け、次いで第２剥離フィルム９ｂを剥がして残った基材シート部７を窓ガラス１２の角部へ貼り付けるものである。このようにして窓ガラス１２の残った各角部へ角部シート６を貼り付け、同様にして、もう一方の窓ガラス１３の各角部へ角部シート６を貼り付ける。
【００１８】
このようにして、図９に示したように、保護シートの窓ガラス１２，１３への貼り付けが終了する。尚、保護シートは窓ガラス１２，１３の一方（とくに窓ガラス１２）のみに貼着しても、それなりに効果がある。
【００１９】
以上はガラス窓に保護シートを貼り付ける場合について説明したが、ガラス戸の場合にも同じようにして保護シートを貼り付けることができる。さらに、クレセント錠はさまざまな錠の一例である。
【００２０】
尚、本願発明に係る保護シートの防犯効果と防災効果を知るために、次の条件の下でテストをしたところ、下記するような結果が得られた。
【００２１】
【試験例１】
試験材として、材厚０．４ｍｍのポリプロピレン製の基材シート部に貼着層を設けた直径４４０ｍｍの半円形状の中部シートと、この中部シートと同じ材料と材厚のもので半径２２０ｍｍの４分の１円形状の角部シートを用意し、実際のアルミサッシのガラス窓の窓ガラスの内側へ上述した要領で貼着させ、外側より市販の粘着テープを貼って、ハンマーを用いて叩いたところ、ガラスは割れたが、破片は中部シートや角部シートにくっついて落下せず、クレセント錠のレバーを操作できるまで孔を拡大させるのに、音の出る作業が３分継続した。
【００２２】
通常、１分以上音を出し続けると、居住者や周囲の人に気づかれる危険性が高いことが、経験上確かめられており、充分に犯罪の抑止効果が得られることが解った。或は実際に窓ガラスを割ろうとしても、保護シートが貼着されていることは、外部より解るので、心理的にも充分に犯罪の抑止効果を期待できるものである。
【００２３】
【試験例２】
ガラス板の材圧３ｍｍ、長さ４２０ｍｍ、幅２９０ｍｍのものをアルミニウム製の枠材へ取り付け、保護シートを貼着しないものと、保護シートを貼着したものを用意した。そしてガラス板に保護シートを貼着しないものを試験材１とし、ガラス板に直径１００ｍｍの中部シートと半径７５ｍｍの角部シートを貼着したものを試験材２とし、ガラス板に直径１００ｍｍの中部シートと半径５０ｍｍの角部シートを貼着したもの試験材３とした（いずれもガラス板の片面に貼着）。この各試験材１，２，３、を木枠の上に載せて直径１００ｍｍの球座式圧盤を用いてガラス板の中央部を上から圧縮し静的強度試験を行った。
【００２４】
そのときの周囲温度は２３±２℃、５０±５％RＨであり、ロードセル５ＫＮ、試験速度は０．５ｍｍ／ｍｉｎであった。
【００２５】
その結果、試験材１のものは、１．０８ＫＮＴ（１０８ｋｇ）の破壊加重を加えたところで大きな音で破裂が起き、ガラス板が割れ、枠材の手前のものが吹き飛び、ガラス板自体も木枠の外へ大きく飛散した。
【００２６】
試験材２のものは、１．４３ＫＮＴ（１４３ｋｇ）の破壊加重を加えたところで破壊が起き、ガラス板が割れたが、破壊音は小さく、枠材が吹き飛ぶこともなくほぼ原型を保った。そして、割れたガラス板は周囲へ飛散することなく、その一部は木枠の中へ落ちたが、大部分のものは保護シートによって飛散を免れ、木枠に残った。
【００２７】
同様にして試験材３のものについて試験したが、１．２３ＫＮＴ（１２３ｋｇ）の破壊荷重を加えたところで破壊した。その他は試験材１のものとほぼ同じであった。
【００２８】
以上の各試験結果から、保護シートを貼着させると、破壊圧力に対する強度が増大し、かつ、破壊されても保護シートによりガラスの飛散を有効に防止できることが解った。
【００２９】
【発明の効果】
この発明は以上のように構成したので、次のような効果を奏し得る。
【００３０】
請求項１のように構成すると、窓ガラス等はメインの錠を取り付けた部分とサブの錠を取り付けた部分の両方が中部シートと角部シートから成る保護シートで簡単には孔の開かないように防御されるので、それだけ孔開けに時間を要することから、それだけ防犯効果を高めることができるという効果を奏し得る上に、地震の揺れによって窓ガラス等が破壊される場合でも、窓ガラス等の飛散を極力防止することができるので、安全性を高めることができる。
【００３１】
さらに、請求項１のように構成すると、第１剥離フィルムを剥がした面積の小さな幅の狭い部分を先に窓ガラス等へ貼着し、その後で第２剥離フィルムを剥がした面積の大きな幅の広い部分を窓ガラス等へ貼着することができるので、極めて貼着作業がし易くなるという効果を奏し得る。
【００３２】
請求項２のように構成すると、保護シートが装飾的効果を挙げることができるという効果を奏し得る。
【図面の簡単な説明】
【図１】  この発明に係る保護シートの中の中部シートの正面図である。
【図２】  図１に示した中部シートの背面図である。
【図３】  図１に示した中部シートの一部拡大断面図である。
【図４】  この発明に係る保護シートの中の角部シートの正面図である。
【図５】  図４に示した角部シートの背面図である。
【図６】  図４に示した角部シートの一部拡大断面図である。
【図７】  中部シートを窓ガラスのクレセント錠の部分へ貼着する際の説明図である。
【図８】  角部シートを窓ガラスの角部へ貼着する際の説明図である。
【図９】  この発明に係る保護シートを貼着させたガラス窓の正面図である。
【符号の説明】
１  中部シート
２，7  基材シート部
３，８  粘着層
４，９  剥離フィルム
４ａ，９ａ  第１剥離フィルム
４ｂ，９ｂ  第２剥離フィルム
５，１０  印刷部
６  角部シート
１１  ガラス窓
１２，１３  窓ガラス
１２ａ  枠部材
１４  クレセント錠
【図１】
0004694055.tif 000002
【図２】
0004694055.tif 000003
【図３】
0004694055.tif 000004
【図４】
0004694055.tif 000005
【図５】
0004694055.tif 000006
【図６】
0004694055.tif 000007
【図７】
0004694055.tif 000008
【図８】
0004694055.tif 000009
【図９】
0004694055.tif 000010